(57)【特許請求の範囲】
【請求項１】
放送信号を受信する複数の放送波受信アンテナと、
前記複数の放送波受信アンテナにて受信した放送信号を選局し復調する複数の選局復調手段と、
前記複数の選局復調手段が復調した複数の復調後信号を合成または振り分けのいずれかを行う合成／振分手段と、
前記合成及び振り替え手段が合成した信号または振り分けした第１の信号をトランスポートデコードする第１のトランスポートデコード手段と、
前記合成及び振り替え手段が振り分けした第２の信号をバックグラウンド処理用にトランスポートデコードする第２のトランスポートデコード手段と、
前記第１のトランスポートデコード手段がトランスポートデコードした信号をデコードするＡＶデコード手段とを備え、
受信品質に応じて、前記選局復調手段により異なるチャンネルを選局し、前記合成／振分手段により復調後信号を振り分け、前記第２のトランスポートデコード手段により、前記合成／振分手段により振り分けられた信号を第２の信号としてバックグラウンド処理を行うことを特徴とするデジタル放送受信装置。
【請求項２】
当該デジタル放送受信装置の位置情報を検出して位置情報信号を出力する位置情報検出手段と、
前記位置情報信号を基に当該デジタル放送受信装置の移動方向を検出し進行方向情報信号を出力する進行方向検出手段と、
当該デジタル放送受信装置の所在地と受信品質が関連付けられた受信品質情報を保持するデータベース保持手段とを更に備え、
前記切替手段は、前記位置情報信号と前記進行方向情報信号と前記受信品質情報を基に受信品質を演算することを特徴とする請求項１に記載のデジタル放送受信装置。
【請求項３】
さらに位置情報を含む基準位置情報信号を受信する基準位置情報受信アンテナを備え、
前記位置情報検出手段は、前記基準位置情報信号を基に当該デジタル放送受信装置の位置情報を検出することを特徴とする請求項２に記載のデジタル放送受信装置。
【請求項４】
前記切替手段は、前記位置情報信号と前記進行方向情報信号と前記受信品質情報を基に受信エラーが発生する所定距離或いは所定時間前に前記合成／振分手段を切替制御すること_を特徴とする請求項２に記載のデジタル放送受信装置。
【請求項５】
前記合成及び振り替え手段は、前記複数の復調後信号を合成するときＯＦＤＭ信号をキャリア毎に合成するキャリアダイバーシティーを行うことを特徴とする請求項１に記載のデジタル放送受信装置。
【請求項６】
前記バックグラウンド処理は、放送視聴中に異なるチャンネルの番組表の取得、チャンネルスキャン、放送ダウンロードの受信のいずれかを行うことを特徴とする請求項１に記載のデジタル放送受信装置。
【請求項７】
前記受信品質情報は、ＣＮ情報、受信エラー情報、ビットエラーレートのいずれかであることを特徴とする請求項２に記載のデジタル放送受信装置。
【請求項８】
当該デジタル放送受信装置が搭載された車の形状やアンテナの設置位置により前記受信品質情報を補正することを特徴とする請求項２に記載のデジタル放送受信装置。
【請求項９】
当該デジタル放送受信装置の移動速度により前記受信品質情報を補正することを特徴とする請求項２に記載のデジタル放送受信装置。
【発明の詳細な説明】
【技術分野】
【０００１】
本発明は、移動体デジタル放送受信装置に関し、特に移動中の受信状況を事前に演算し放送階層の切り替えを行う技術に関する。
【背景技術】
【０００２】
地上デジタル放送では、伝送帯域を１３のセグメントに分割し、１つの物理チャンネル内に異なる変調方式の信号を多重することが可能である。例えば、１３のセグメントのうち、１２セグメントを固定受信用として６４ＱＡＭ変調方式で、１セグメントを移動体受信用としてＱＰＳＫ変調方式で同時に伝送することで、受信環境、受信端末に合わせ、受信する階層を受信端末側で選択することができる。例えば、固定受信向けの６４ＱＡＭ変調方式では、情報伝送レートが大きいので、ハイビジョン放送が行うことができる。しかし、伝送路の変動に対する耐性が弱く、弱電界では受信が困難であるため、移動体受信のような厳しい環境では受信は困難である。一方、移動体向けのＱＰＳＫ変調方式では、情報伝送レートが小さく、Ｈ２６４圧縮を用いたＱＶＧＡ、１５ｆｐｓ程度の映像の伝送であり高画質とは言いがたいが、伝送路の変動に対する耐性が高く弱電界でも良好に受信することが可能であるため、携帯端末や車載での利用が考えられている。６４ＱＡＭの階層のように伝送路の変動に対する耐性が弱く弱電界では受信が困難である階層を弱階層と呼び、ＱＰＳＫの階層のように伝送路の変動に対する耐性が強く弱電界でも受信が可能である階層を強階層と呼ぶ。
【０００３】
現在発明されている移動体向けデジタル放送受信装置では、映像及び音声が途切れないように、受信した放送信号の階層の電界強度やブロックノイズ、ＢＥＲ（Ｂｉｔ  Ｅｒｒｏｒ  Ｒａｔｅ）等の値を用いて受信状態を判断し、受信状態の変化に応じて、最適な階層を選択し、階層の切り替えを行っている。このように階層の切り替えを行うことで、受信状態に合わせた受信階層の選択するデジタル放送受信方法が提案されている。
【０００４】
図２３は従来のデジタル放送受信装置の構成を示すブロック図である（例えば、特許文献１参照）。図２３に示す車載用のデジタル放送受信装置（以下、車載受信装置という）１１００は、アンテナ１１０１と、電波を受信するためのチューナ１１０２と、チューナ１１０２が受信した電波をデジタル信号に復調する復調器１１０３と、デジタル信号からそれに含まれているさまざまなデータを分離するＴＳ（Ｔｒａｎｓｐｏｒｔ  Ｓｔｒｅａｍ）処理装置１１０４と、ＴＳ処理装置１１０４からのデジタルデータを映像、音声、その他のデータに変換するデコーダ１１０５と、車載受信装置１１００を操作する際に必要な入力を受け付ける設定装置１１０８と、チューナ１１０２などから出力される所定の信号を取り込み、受信した信号に含まれている複数の表示候補から１つを選択して出力する選択装置１１０６と、選択装置１１０６から出力されたデータに基づいて、映像及び音声などのマルチメディアデータなどを出力する出力装置１１０７と、車載受信装置１１００のさまざまな入力データを受け付けるＩ／Ｏ装置１１０９と、車載受信装置１１００が起動するときに必要なプログラム、ならびにデータを格納しておくＲＯＭ装置１１１０と、車載受信装置１１００が動作しているときに必要なデータを格納する記録装置１１１２と、車載受信装置１１００を動作させるためのＣＰＵ１１１３とを備える。上述の各構成要素は、それぞれバス１１６１で接続されている。
【０００５】
また、図中に示した接続線１１５２〜１１６０では、それぞれ以下の信号が送受信される。すなわち、接続線１１５２にはＲＦ（Ｒａｄｉｏ  Ｆｒｅｑｕｅｎｃｙ）信号、接続線１１５３にはデジタルデータ（例えばトランスポートストリーム）信号、接続線１１５４、１１５５にはデジタルデータ（例えばエレメンタリーストリーム）信号、接続線１１５６にはＶＧＡ（Ｖｉｄｅｏ  Ｇｒａｐｈｉｓｅ  Ａｒｒｅｙ）、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅ）、及びＰＡＬ（Ｐｈａｓｅ  Ａｌｔｅｒｎａｔｉｏｎ  ｂｙ  Ｌｉｎｅ）などの映像信号、ＡＡＣ（Ａｄｖａｎｃｅｄ  Ａｕｄｉｏ  Ｃｏｄｉｎｇ）などの音声信号、その他テキストデータに関する信号などが、それぞれ伝送される。また、接続線１１５７ではチューナ１１０２が受信した電波の受信強度を示す電界強度に関する信号、接続線１１５８ではデジタルデータに復調後のデータの受信状況を示すＢＥＲ（Ｂｉｔ  Ｅｒｒｏｒ  Ｒａｔｅ）に関する信号、接続線１１５９では出力装置１１０７に対する表示の条件を入力、あるいは変更するためのデジタル信号、そして接続線１１６０では、例えば映像の品質を示す指標（例えば、ブロックノイズ発生率、動きベクトル総量値、音声の途切れ具合）に関する信号が、それぞれ伝達される。
【０００６】
しかし、このような方法では、電界強度やブロックノイズ、ＢＥＲ等の値を判断した後に、階層の切り替えを行うので、受信環境の急激な変化には対応できず、切り替わる前に受信品質の悪い映像及び音声が表示されることがある。さらに、受信環境の変化が比較的激しいルートを移動する場合は、階層の切り替えが頻繁に発生してしまい、ユーザーに不快感を与えてしまうという課題がある。この課題を解決するために、移動体の位置情報と、受信可能エリア情報を基に事前に受信環境の変化を予測し階層の切り替えを行うことにより、受信エラーが発生する前に切り替えることができる受信方法が提案されている（例えば、特許文献２参照）。この方法では、階層の切り替えが頻発する前に、受信可能エリア情報から、過度に頻繁な切り替えを防ぐために、しばらくの間強階層区分に固定することが提案されている。
【特許文献１】特開２００５−２７７８７３号公報
【特許文献２】特開２００５−１８４２１９号公報
【発明の開示】
【発明が解決しようとする課題】
【０００７】
上記のように、受信状態に合わせて受信階層を切り替えるデジタル放送受信装置では、受信する階層の切り替え中には数秒間映像及び音声が途切れてしまうため、できる限り切り替え頻度を減らすことが望ましい。そこで、従来のデジタル放送受信装置では過度に頻繁な切り替えを防止するために、しばらくの間簡易動画放送に固定するという手法がとられているが、走行位置、受信状態により適切な切り替え保留時間は異なる為、様々な受信環境にて常に適切な切り替えを行うことはできないという課題がある。
【０００８】
さらに、車載向けデジタル放送受信装置では、複数のアンテナからの入力信号を個別に復調し合成するダイバーシティー技術が用いられることが多い。複数あるアンテナからの各系統をブランチと呼び、２ブランチ構成や４ブランチ構成のデジタル放送受信装置が開発されている。ブランチ数は多ければ多いほど受信品質が向上し、エラー耐性が上がる。そこで、複数ブランチを持つデジタル放送受信装置、例えば４ブランチを持つデジタル放送受信装置では、３ブランチを映像受信に、残りの１ブランチをチャンネルスキャンや、番組表取得に使用することが考えられている。しかし、実際に４ブランチ使用しなければ十分な受信品質が確保できない場所であっても、１ブランチを使用してのバッググラウンドで処理中は３ブランチ相当の受信品質しか確保できないという問題があり、仮に受信品質の低下を検知して４ブランチ受信に変更可能だとしても、急激な受信環境の変化には対応できない。
【０００９】
本発明の目的は、これらの課題を解決するために、デジタル放送受信装置の階層切り替えを最小限に抑え、必要最小限の回数で切り替える手段を可能とし、映像及び音声が途切れることのないデジタル放送受信装置を提供し、さらにブランチ数を制御することで映像受信の品質を確保しながら、バックグラウンド処理を効率的に行うことが可能なデジタル放送受信装置を提供することである。
【課題を解決するための手段】
【００１０】
（１）第１の発明
第１の発明に係るデジタル放送受信装置は、放送信号を受信する放送波受信アンテナと、前記放送波受信アンテナにて受信した放送信号を選局し復調し、受信階層ごとに振り分けて出力する選局復調手段と、前記選局復調手段より出力される複数の復調後信号のうち１つをデコードする第１のデコード手段と、前記選局復調手段より出力される複数の復調後信号のうち１つをデコードする第２のデコード手段と、前記第１のデコード手段と前記第２のデコード手段より出力される信号を切り替え出力する出力切替手段と、位置情報を検出して位置情報信号を出力する位置情報検出手段と、前記位置情報検出手段より出力される位置情報信号を基にデジタル放送受信装置の移動方向を検出し進行方向情報信号を検出する進行方向検出手段と、位置情報信号と該当位置での受信品質が関連付けられた受信品質情報を保持するデータベース保持手段と、前記位置情報検出手段より出力される位置情報信号と前記進行方法検出手段より出力される進行方向情報信号と前記データベース保持手段に格納されている受信品質情報を基に受信階層の切り替えポイントを演算し前記出力切替手段に切り替え要求を出力する切替ポイント演算手段とを備え、前記切替ポイント演算手段は前記受信品質情報、前記進行方向情報信号及び前記位置情報信号を基に前記出力切替手段を制御することにより、移動中に発生する階層切り替えが多発しないように制御することが可能である。
【００１１】
本発明に係るデジタル放送受信装置は、前記切替ポイント演算手段が、まず前記位置情報検出手段より出力される位置情報信号と前記進行方向検出手段から出力される進行方向情報信号を用いて、予測される移動ルートを演算する。そして、演算結果の移動ルート上の受信品質情報を前記データベース保持手段より読み出す。そして、前記データベース保持手段より読み出したデータを基に移動ルート上での階層切り替え発生頻度を演算する。そして、その演算結果の階層切り替え発生頻度が所定の回数以上であった場合に、切り替えを低減するために該当区間を移動中は、たとえ弱階層が受信できる区間であっても強階層を受信する。
【００１２】
（２）第２の発明
第２の発明に係るデジタル放送受信装置は、放送信号を受信する複数の放送波受信アンテナと、前記放送波受信アンテナにて受信した放送信号を選局し復調する選局復調手段と、前記複数の選局復調手段より出力される複数の復調後信号を合成及び振り分ける合成及び振り分け手段と、前記合成及び振り分け手段より出力される複数の振り分け後信号のうちの１つをトランスポートデコードする第１のトランスポートデコード手段と、前記合成及び振り分け手段より出力される複数の振り分け後信号のうちの１つをトランスポートデコードする第２のトランスポートデコード手段と、前記第１のトランスポートデコード手段より出力されるトランスポートデコード後信号をデコードするＡＶデコード手段と、基準位置情報信号を受信する基準位置情報受信アンテナと、前記基準位置情報受信アンテナにて受信した基準位置情報信号を基に位置情報信号を出力する位置情報検出手段と、前記位置情報検出手段より出力される位置情報信号を基にデジタル放送受信装置の移動方向を検出し進行方向情報信号を出力する進行方向検出手段と、位置情報信号と該当位置での受信品質が関連付けられた受信品質情報を保持するデータベース保持手段と、前記位置情報検出手段より出力される位置情報信号と前記進行方法検出手段より出力される進行方向情報信号と前記データベース保持手段に格納されている受信品質情報を基に前記合成及び振り分け手段の合成及び振り分け方法を制御する切替手段とを備え、複数ある選局復調手段を用いて視聴中以外の物理チャンネルを選局するなどのバックグラウンド処理を行うが、視聴中の映像の受信品質を低下させないことが可能である。
【００１３】
本発明に係るデジタル放送受信装置では、複数の放送波受信アンテナと複数の選局復調手段を用いてダイバーシティー合成を行うことができ、前記複数の選局復調手段が異なる物理チャンネルを選局し、チャンネルスキャンや他チャンネルの番組表取得などが可能なデジタル放送受信装置に関し、切替手段は、まず前記位置情報検出手段より出力される位置情報信号と前記進行方向検出手段から出力される進行方向情報信号を用いて、予測される移動ルートを演算する。そして、演算結果の移動ルート上の受信品質情報を前記データベース保持手段より読み出す。そして、その移動ルート上にて１つの放送波受信アンテナと１つの選局復調手段にて良好な受信ができる区間はもう１つの放送波受信アンテナと選局復調手段を用いてバックグラウンド処理を行う。そして、１つの放送波受信アンテナと１つの選局復調手段では良好な受信ができない区間にさしかかる前にバックグラウンド処理を停止し、双方の放送波受信アンテナと選局復調手段を視聴用として用い受信品質を確保する。
【発明の効果】
【００１４】
本発明によれば、移動中にデジタル放送を受信する際に、発生する階層の切り替え頻度をあらかじめ予測し、切り替え発生頻度を低減することにより映像及び音声の途切れを少なくするデジタル放送受信装置を実現することが可能となる。
【００１５】
また、第２の発明によれば、移動中にデジタル放送を受信する際に、デジタル受信装置が必要なバックグラウンド処理を視聴しているチャンネルの受信品質を落とさずに行うことができるデジタル放送受信装置を実現することが可能となる。
【発明を実施するための最良の形態】
【００１６】
以下、本発明に係るデジタル放送受信装置について、図面を参照しながら説明する。
【００１７】
なお、本発明が適応されるデジタル放送受信装置はこの例に特定されず、無線通信を含む他の受信装置にも同様に用いることができる。
【００１８】
また、本発明に係るデジタル受信装置については、日本における地上デジタルテレビジョン放送の放送方式であるＩＳＤＢ−Ｔ方式を例にとり、複数のセグメントで構成された階層を同時に伝送されている放送波を受信する受信装置とする。
【００１９】
本実施の形態では２つの階層を用いて放送が伝送されているものとする。例えば、弱階層では６４ＱＡＭ変調方式を用いてハイビジョン放送を、強階層ではＱＰＳＫ変調方式を用いて簡易動画を伝送していることとする。本実施の形態では同一物理チャンネル上に強階層と弱階層の信号が多重されていることを例としているが、たとえば別々の物理チャンネルにて伝送されていても同様の効果が得られる。また、全く別の伝送路を通ってデジタル放送受信装置に到来している場合でも同様の効果が得られる。
【００２０】
（実施の形態１）
図１は本実施形態に係るデジタル放送受信装置１００の機能構成を示すブロック図である。
【００２１】
図１に示すデジタル放送受信装置１００は、第１のアンテナ１０１、選局復調手段１０２、第１のデコード手段１０３、第２のデコード手段１０４、出力切替手段１０５、出力手段１０６、第２のアンテナ１０７、位置情報検出手段１０８、進行方向検出手段１１２、切替ポイント演算手段１０９、コントロール手段１１０、及びデータベース保持手段１１１を備える。
【００２２】
選局復調手段１０２は、デジタル放送、例えば地上デジタル放送による地上デジタル放送波を受信するＵＨＦアンテナ等からなる第１のアンテナ１０１から出力されるＲＦ信号を受け、ＲＦ信号からチャンネルを選択すると共に、復調処理を行い、ＴＳ信号を弱階層用のＴＳ信号と、強階層用のＴＳに分離し、弱階層用のＴＳ信号を第１のデコード手段１０３に、強階層用のＴＳ信号を第２のデコード手段１０４へ出力する。
【００２３】
第１のデコード手段１０３では、入力される弱階層ＴＳ信号をデコードし、映像信号及び音声信号を階層切り替え手段１０５へ出力する。同様に、第２のデコード手段１０４では、入力される強階層ＴＳ信号をデコードし、映像信号及び音声信号を出力切替手段１０５へ出力する。
【００２４】
第２のアンテナ１０７は、デジタル放送受信装置１００の位置情報を含む基準位置情報信号を受信し、位置情報検出手段１０８に出力する。
【００２５】
位置情報検出手段１０８は基準位置情報信号を受信する第２のアンテナ１０７から出力される信号を受け、位置情報を検出し切替ポイント演算手段１０９及び進行方向検出手段１１２に位置情報信号を出力する。
【００２６】
データベース保持手段１１１は、位置情報に関連付けられた受信品質情報を保持する。
【００２７】
進行方向検出手段１１２は位置情報検出手段１０８から出力される位置情報信号を基にデジタル放送受信装置１００の移動方向を検出する。
【００２８】
切替ポイント演算手段１０９は位置情報検出手段１０８より出力される位置情報信号、進行方向検出手段１１２より出力される進行方向情報信号を基にデジタル放送受信装置１００の移動ルートを予測し、その移動ルートでの受信品質情報をデータベース保持手段１１１より読み出す。そして、読み出した受信品質情報を基に、階層の切り替えが起こる手前の階層切り替えポイントを算出し、その算出ポイントにデジタル放送受信装置１００が移動すると階層切り替え要求を出力切替手段１０５に出力する。
【００２９】
出力切替手段１０５は、切替ポイント演算手段１０９からの階層切り替え要求により、弱階層を受信するか、もしくは強階層を受信するかを選択し、選択された階層の映像信号及び音声信号を出力手段１０６へ出力する。
【００３０】
出力手段１０６は出力切替手段１０５より出力される映像信号及び音声信号を映像出力及び音声出力するための手段である。
【００３１】
コントロール手段１１０は、デジタル放送受信装置１００の全体の制御及び状態の監視を行う。
【００３２】
次に、図２を用いてデータベース保持手段１１１に保持されている受信品質情報の抜粋例を示す。本データは経度及び緯度情報を用いてグリッド状に各地点での受信品質をサンプリングしたものであり、「○」の部分は弱階層と強階層の双方が受信可能な地区を示し、「×」の部分は強階層のみ受信可能な地区を示す。例えば東経１３５度３５分３０秒、北緯３４度４３分３０秒の位置から東経１３５度３５分０５秒、北緯３４度４３分３０秒まで移動する場合、東経１３５度３５分３０秒、北緯３４度４３分３０秒から東経１３５度３５分２５秒、北緯３４度４３分３０秒までの区間は弱階層も強階層も受信可能なことを示す。しかし東経１３５度３５分２０秒、北緯３４度４３分３０秒から東経１３５度３５分１５秒、北緯３４度４３分３０秒までの区間は強階層しか受信できないので、弱階層を受信しているデジタル放送受信装置１００の場合は強階層に階層切り替えを行う必要がある。また、東経１３５度３５分１０秒、北緯３４度４３分３０秒から東経１３５度３５分０５秒、北緯３４度４３分３０秒までの区間は弱階層と強階層の双方が受信可能な区間である為、画質を優先する場合は弱階層に再度切り替える必要がある。以下、このように位置情報に関連付けられた受信品質情報を受信品質マップと呼ぶ。
【００３３】
なお、本実施の形態では弱階層が受信できる、または、受信できないという受信品質情報を保持しているとするが、弱階層にて受信エラーが発生する、発生しないという受信品質情報でも同様の効果が得られる。また、２値のデータに限らず、ＣＮ情報や、受信エラー情報、ビットエラーレートなどでも同様の効果が得られる。例えば、ＣＮ情報が特定の値以下である場合には弱階層が受信できないなどと判断可能である。なお、デジタル放送受信装置１００を搭載する車の形状やアンテナの設置位置などによっても受信状態は変化する為、データベース保持手段１１１に保持されている受信品質情報を車の形状やアンテナの設置位置によりそのデータを変換または補正して使用すると、さらに高精度の受信品質情報となる。また、データベース保持手段１１１に保持されている受信品質情報と実際にデジタル放送受信装置１００が受信したＣＮ情報や、受信エラー情報、ビットエラーレートなどと照らし合わせ、受信品質情報を変換または補正して使用すると、さらに高精度の受信品質情報となる。また、移動スピードによっても受信状態は変化する為、移動スピードを基に受信品質情報を変換または補正して使用すると、さらに高精度の受信品質情報となる。
【００３４】
次に図３を用いてさらに広い範囲でのデータベース保持手段１１１に保持されている受信品質情報の例を示す。本図にて斜線が引かれている地区は、図２での「×」のデータに該当し、強階層のみ受信可能な地区を示す。本図にて斜線が引かれていない地区は図２での「○」のデータに該当し弱階層と強階層の双方が受信可能な地区を示す。ここでは従来のデジタル放送受信装置の地点Ａから地点Ｂまで移動する場合を例とする。まず弱階層を受信している状態で地点Ａから出発し、地点Ｃまで移動した段階で受信エラーを検知し強階層に切り替わる。そして、地点Ｄにて弱階層も受信できることを検知し弱階層に切り替わる。そして地点Ｄにて受信エラーを検知し、強階層に切り替わる。そして、地点Ｆにて弱階層も受信できることを検知し弱階層に切り替わり、地点Ｂに到着する。このように、受信エラーを検知してから切り替わる従来の方式では、視聴中に映像の乱れや音声の途切れが発生してしまうため好ましくない。
【００３５】
次に図４を用いて、本実施の形態のように受信品質マップを持つデジタル放送受信装置１００の場合を説明する。受信品質マップを持つデジタル放送受信装置１００の場合、弱階層で受信が不可能な地域にデジタル放送受信装置１００が移動する前に強階層に切り替えることによって映像の乱れや音声の途切れの発生しないデジタル放送受信装置を実現することが可能となる。例えば図４での地点Ａから地点Ｂに移動する場合を例とする。まず、弱階層を受信している状態で地点Ａから移動を始め地点Ｇにて移動ルート上に弱階層が受信できない地域に入ると検知し強階層に切り替える。そして地点Ｄにて弱階層も受信可能であることを受信エラーまたは受信品質マップより検知し弱階層に切り替える。そして、地点Ｈにて移動ルート上に弱階層が受信できない地域に入ると検知し強階層に切り替える。そして地点Ｆにて弱階層も受信可能であることを受信エラーまたは受信品質マップより検知し弱階層に切り替える。
【００３６】
例えば、切替ポイント演算手段１０９は移動ルート上に弱階層が受信できない地区があるとデータベース保持手段１１１に格納されている受信品質情報より検知すると、弱階層が受信できなくなる地点に到達する前に強階層に切り替える。例えば、切り替える地点を距離での１ｋｍとあらかじめ定められているとする。切替ポイント演算手段１０９は移動ルート上で弱階層が受信できなくなる地点、つまり弱階層も強階層も受信できると受信品質情報が記載されている地点と強階層のみ受信できると受信品質情報が記載されている境目から移動ルート上で１ｋｍ遡った地点を切り替えポイントとする。なお、本実施の形態では１ｋｍという距離で切り替えポイントを規定しているが、時間情報でも同様の効果が得られる。なお、時間情報の場合は、デジタル放送受信装置１００の移動スピードを基に演算を行う必要がある。
【００３７】
次に図５を用いて、切替ポイント演算手段１０９が受信階層を切り替える地点である階層切り替えポイントを演算する例を示す。例えば、図５にて地点Ａから地点Ｂに移動する場合、地点Ａにて弱階層を受信している場合には弱階層が受信できなくなる地点Ｄに到達する前に強階層に切り替えなければ、地点Ｄを通過した後は受信エラーが発生してしまう。そこで、地点Ｄに到達する前に受信階層を弱階層から強階層に切り替える必要がある。例えば、地点Ｄである弱階層の受信可能な限界地点に到達する時間ｃｔ秒前に切り替えを行うとした場合、地点Ａから地点Ｄに到達するまでの間、地点Ｄに到達するまでの時間を演算する。例えば、地点Ａから地点Ｄの間の地点Ｅが現在地点であるとした場合、地点Ｅから地点Ｄまでの距離である距離ｅｄは位置情報検出手段より得られる位置情報信号と、データベース保持手段１１１に格納されている受信品質情報に対応した位置情報との差分より求めることが可能である。そして、地点Ｅでの速度である速度ｅｖは位置情報検出手段からの時間的な位置情報などから演算することが可能である。そして、それらの情報を用いて、地点Ｅから地点Ｄに到達するまでの時間である時間ｅｔを演算する。具体的には、時間ｅｔは距離ｅｄを速度ｅｖにて除算した結果である。そして、地点Ａから地点Ｄに到達するまで地点Ｄに到達するまでの時間を連続的または断続的に演算し、演算結果の地点Ｄに到達するまでの時間が時間ｃｔと一致または時間ｃｔより短くなると切替ポイント演算手段１０９は出力切替手段１０５に階層切り替え要求を出す。図５の場合、その切り替えポイントは地点Ｃである。また、強階層から弱階層に切り替える場合も同様の演算方法で切替ポイント演算手段１０９は切り替えポイントを演算する。
【００３８】
次に本実施の形態での切替ポイント演算手段１０９について説明をする。切替ポイント演算手段１０９は、位置情報検出手段１０８からの位置情報信号と進行方向検出手段１１２からの進行方向情報信号を基に、デジタル放送受信装置１００が移動する移動ルートを予測し、データベース保持手段１１１より移動ルートに対応した受信品質情報を読み出す。そして移動ルート上の一定区間、例えば５ｋｍ区間にどれぐらいの頻度で階層切り替えが発生するかを検出する。例えば図６の模式図の場合、切り替えが地点Ｃ、地点Ｄ、地点Ｅ、地点Ｆの４点で発生し、地点Ｃ及び地点Ｅでは弱階層から強階層への切り替えが、地点Ｄ及び地点Ｆでは強階層から弱階層への切り替えが発生する。例えば、本実施の形態のデジタル放送受信装置１００にはあらかじめ５ｋｍ区間中に最大３切り替えまでが許されているとする。そこで、切替ポイント演算手段１０９は地点Ｄと地点Ｅでの階層切り替えを発生しないように切り替えポイントを演算する。つまり、切り替えポイントは地点Ｃでの弱階層から強階層への切り替えと、地点Ｆでの強階層から弱階層への切り替えの２ポイントに切り替えが削減される。地点Ａから地点Ｃまでは弱階層を受信し、地点Ｃから地点Ｆまでは強階層を受信し、地点Ｆから地点Ｂまでは弱階層を受信する。地点Ｄから地点Ｅは従来のデジタル放送受信装置では弱階層を受信していたが、この区間は強階層を受信する。演算された切り替えポイントを基に、切替ポイント演算手段１０９は、位置情報検出手段１０８からの位置情報信号が演算した切り替えポイントと一致すると、出力切替手段１０５に階層切り替え要求を出す。
【００３９】
なお、本実施の形態では、デジタル受信装置の受信点が静止または移動していることを前提としており、受信性能は移動速度により変化することがわかっている。そこで、デジタル放送受信装置１００の移動速度の情報を用いて受信する階層を切り替えることにより、さらに高精度に受信階層の切替を行うことが可能となる。例えば、図７はデータベース保持手段１１１に保持されている受信品質情報の内、一地点での抜粋である。本データはデジタル放送受信装置１００の移動速度に対する受信品質を示すものであり、「○」の部分は弱階層と強階層の双方が受信可能な移動速度を示し、「×」の部分は強階層のみ受信可能な移動速度を示す。例えば、図７の「４０ｋｍ／ｈ」と「６０ｋｍ／ｈ」の欄では「○」のデータが保持されている為、時速６０ｋｍ／ｈまでの速度でデジタル放送受信装置１００が移動している状態では、弱階層と強階層の双方で受信が可能ということを示す。一方「８０ｋｍ／ｈ」と「１００ｋｍ／ｈ」の欄では「×」のデータが保持されている為、時速８０ｋｍ／ｈ以上の速度でデジタル放送受信装置１００が移動している状態では、強階層のみが受信可能ということを示し、弱階層での受信は不可能であるため、弱階層を受信している場合は強階層に切り替えを行う必要があることを示す。
【００４０】
なお、移動速度は常に変化する速度を用いるのではなく、一定距離内での移動体の平均速度を用いることで、受信品質情報の補正演算回数を軽減することができる。
【００４１】
なお、移動速度は常に変化する速度を用いるのではなく、一定時間内での移動体の平均速度を用いることで、受信品質情報の補正演算回数を軽減することができる。
【００４２】
次に図８を用いて、複数地点でのデータベース保持手段１１１に保持されている受信品質情報の一例を示す。本データは、経度及び緯度情報に対する各地点での受信品質を、デジタル放送受信装置１００の移動速度ごとに示しており、「○」の部分は弱階層と強階層の双方が受信可能な地区を示し、「×」の部分は強階層のみ受信可能な地区を示す。本データでは、各地点あたり４つの受信品質を示しており、デジタル放送受信装置１００の移動速度に対する各地点での受信品質を示す。各地点での４つの受信品質情報のうち左上の「○」または「×」は時速４０ｋｍで移動している場合の受信品質を、右上の「○」または「×」は時速６０ｋｍで移動している場合の受信品質を、左下の「○」または「×」は時速８０ｋｍで移動している場合の受信品質を、右下の「○」または「×」は時速１００ｋｍで移動している場合の受信品質を、それぞれ示している。
【００４３】
例えば、東経１３５度３５分２０秒、北緯３４度４３分３５秒でのデータを用いて説明すると、左上のデータ「４０ｋｍ／ｈ」と右上のデータ「６０ｋｍ／ｈ」は「○」のデータが保持されている為、時速６０ｋｍ／ｈまでの速度でデジタル放送受信装置１００が移動している状態では、弱階層と強階層の双方で受信が可能ということを示す。一方左下のデータ「８０ｋｍ／ｈ」と右下のデータ「１００ｋｍ／ｈ」は「×」のデータが保持されている為、時速８０ｋｍ／ｈ以上の速度でデジタル放送受信装置１００が移動している状態では、強階層のみが受信可能ということを示し、弱階層での受信は不可能であるため、弱階層を受信している場合は強階層に切り替えを行う必要があることを示す。
【００４４】
また、例えば東経１３５度３５分３０秒、北緯３４度４３分４５秒から東経１３５度３５分０５秒、北緯３４度４３分４５秒まで移動する場合において、時速６０ｋｍ／ｈにて移動する場合には、東経１３５度３５分３０秒、北緯３４度４３分４５秒から東経１３５度３５分２０秒、北緯３４度４３分４５秒までの区間の右上のデータ、つまり時速６０ｋｍ／ｈの受信品質データは「○」となっているため、弱階層と強階層の双方で受信が可能ということがわかる。しかし、東経１３５度３５分１５秒、北緯３４度４３分４５秒から東経１３５度３５分１０秒、北緯３４度４３分４５秒までの区間の右上のデータ、つまり時速６０ｋｍ／ｈの受信品質データは「×」となっているため、強階層のみが受信可能ということがわかる。また、東経１３５度３５分０５秒、北緯３４度４３分４５秒での右上のデータ、つまり時速６０ｋｍ／ｈの受信品質データは「○」となっているため、弱階層と強階層の双方で受信が可能ということがわかる。つまり、時速６０ｋｍ／ｈにて東経１３５度３５分３０秒、北緯３４度４３分４５秒から東経１３５度３５分０５秒、北緯３４度４３分４５秒まで移動する場合は東経１３５度３５分２０秒、北緯３４度４３分４５から東経１３５度３５分１５秒、北緯３４度４３分４５までの間に弱階層を受信している場合は強階層に切り替えを行う必要があることがわかる。また、弱階層にて強階層に比べて高品質の放送を行っている場合などは、映像や音声の品質を優先して東経１３５度３５分１０秒、北緯３４度４３分４５から東経１３５度３５分０５秒、北緯３４度４３分４５までの間に強階層から弱階層に切り替える必要がある。
【００４５】
しかし、同一区間である東経１３５度３５分３０秒、北緯３４度４３分４５秒から東経１３５度３５分０５秒、北緯３４度４３分４５秒を、時速８０ｋｍ／ｈにて移動する場合には、時速６０ｋｍ／ｈにて移動している場合と異なり、東経１３５度３５分３０秒、北緯３４度４３分４５秒から東経１３５度３５分２５秒、北緯３４度４３分４５秒までの区間の左下のデータ、つまり時速８０ｋｍ／ｈの受信品質データは「○」となっているため、弱階層と強階層の双方で受信が可能ということがわかる。しかし、東経１３５度３５分２０秒、北緯３４度４３分４５秒から東経１３５度３５分０５秒、北緯３４度４３分４５秒までの区間の左下のデータ、つまり時速８０ｋｍ／ｈの受信品質データは「×」となっているため、強階層のみが受信可能ということがわかる。つまり、時速８０ｋｍ／ｈにて東経１３５度３５分３０秒、北緯３４度４３分４５秒から東経１３５度３５分０５秒、北緯３４度４３分４５秒まで移動する場合は東経１３５度３５分２５秒、北緯３４度４３分４５から東経１３５度３５分２０秒、北緯３４度４３分４５までの間に弱階層を受信している場合は強階層に切り替えを行う必要があることがわかる。また、東経１３５度３５分２０秒、北緯３４度４３分４５から東経１３５度３５分０５秒、北緯３４度４３分４５に到着するまで強階層は受信できないことがわかる。
【００４６】
つまり、進行方向により、切り替えを行う最適な地点が異なる為、このように、移動速度に対する受信品質データをデータベース保持手段１１１に保持することにより、移動速度における受信品質の劣化を加味した、精度の高い受信階層の切り替えを実現できる。
【００４７】
なお、本実施の形態では４つの移動速度を例として示しているが、データベース保持手段１１１にはより詳細な移動速度に対する受信品質情報が保持されていればさらに高精度な階層の切り替えが実現可能である。
【００４８】
なお、本実施の形態では４つの移動速度を例として示しているが、データベース保持手段１１１に保持されている受信品質情報を基に、速度情報を補間演算することによりさらに高精度な階層の切り替えが実現可能である。
【００４９】
なお、受信品質はデジタル放送受信装置１００のアンテナがどちらに向いているかにも影響される為、アンテナの向き、つまり進行方向によって受信品質情報を変換または補正して使用すると、さらに高精度の受信品質情報となる。
【００５０】
例えば、図９に一般的なデジタル放送受信装置のアンテナの受信特性の例を示す。本図はアンテナの受信特性をあらわすものであり、斜線が引かれている範囲がアンテナの受信感度領域であり、０°をデジタル放送受信装置の移動方向とする。このようにアンテナの受信特性は円形ではないとする。このようなアンテナの場合、移動体の進行方向に対してデジタル放送を受信する際、前方０°方向からの電波が到来する場合の受信に対しては受信感度が良い。しかしそれ以外の方向からの電波の到来に対しては受信感度が悪く、特に横方向や後方から電波が到来する場合の受信感度が悪い。つまり、デジタル放送受信装置の進行方向により、受信感度が変わる。また、アンテナの設置位置によっては、アンテナの受信特性がデジタル放送受信装置を搭載した移動体本体の陰になることも十分考えられる。例えば、図１０は移動体本体に設置した際の、アンテナの受信特性である。図９のアンテナの受信特性と比べ図における左半分の感度が著しく低下していることがわかる。このような場合、さらに受信感度が電波の到来する方向により変化してしまう。
【００５１】
そこで、各地点での進行方向に対する受信品質情報をデータベース保持手段に保持することにより、さらに高精度の階層切り替えが実現できる。図１１を用いて、複数地点でのデータベース保持手段１１１に保持されている受信品質情報の一例を示す。本データは、経度及び緯度情報に対する各地点での受信品質を、デジタル放送受信装置１００の進行方向ごとに示しており、「○」の部分は弱階層と強階層の双方が受信可能な地区を示し、「×」の部分は強階層のみ受信可能な地区を示す。本データでは、各地点あたり４つの受信品質を示しており、デジタル放送受信装置１００の進行速度に対する各地点での受信品質を示す。各地点での４つの受信品質情報のうち左上の「○」または「×」はデジタル放送受信装置１００が北向きに移動している場合の受信品質を、右上の「○」または「×」はデジタル放送受信装置１００が東向きに移動している場合の受信品質を、左下の「○」または「×」はデジタル放送受信装置１００が南向きに移動している場合の受信品質を、右下の「○」または「×」はデジタル放送受信装置１００が西向きに移動している場合の受信品質を、それぞれ示している。
【００５２】
例えば、東経１３５度３５分２０秒、北緯３４度４３分３５秒でのデータを用いて説明すると、左上の進行方向が北向きの場合のデータと右上の進行方向が東向きのデータには「○」のが保持されている為、東経１３５度３５分２０秒、北緯３４度４３分３５秒にてデジタル受信装置が進行方向北向きまたは東向きに移動している場合は、弱階層と強階層の双方で受信が可能ということを示す。一方左下の進行方向が南向きの場合のデータと右下の進行方向西向きの場合のデータは「×」のデータが保持されている為、東経１３５度３５分２０秒、北緯３４度４３分３５秒にてデジタル受信装置が進行方向南向きまたは西向きに移動している場合は、強階層のみが受信可能ということを示し、弱階層での受信は不可能であるため、弱階層を受信している場合は強階層に切り替えを行う必要があることを示す。
【００５３】
また、例えば東経１３５度３５分３０秒、北緯３４度４３分４５秒から東経１３５度３５分０５秒、北緯３４度４３分４５秒まで移動する場合において、進行方向は西向きとなり、東経１３５度３５分３０秒、北緯３４度４３分４５秒から東経１３５度３５分２５秒、北緯３４度４３分４５秒までの区間の右下のデータ、つまり進行方向が西向きの場合の受信品質データは「○」となっているため、弱階層と強階層の双方で受信が可能ということがわかる。しかし、東経１３５度３５分２０秒、北緯３４度４３分４５秒から東経１３５度３５分０５秒、北緯３４度４３分４５秒に到達するまでの区間の右下のデータ、つまり進行方向が西向きの場合の受信品質データは「×」となっているため、強階層のみが受信可能ということがわかる。
【００５４】
つまり、東経１３５度３５分３０秒、北緯３４度４３分４５秒から東経１３５度３５分０５秒、北緯３４度４３分４５秒までを西向きに移動する場合東経１３５度３５分２５秒、北緯３４度４３分４５から東経１３５度３５分２０秒、北緯３４度４３分４５までの間に弱階層を受信している場合は強階層に切り替えを行う必要があることがわかる。
【００５５】
しかし、同一区間を逆方向に走行する場合、つまり東経１３５度３５分０５秒、北緯３４度４３分４５秒から東経１３５度３５分３０秒、北緯３４度４３分４５秒までを、東向きに移動する場合には、同一区間を西向きに移動している場合と異なり、東経１３５度３５分０５秒、北緯３４度４３分４５秒での右上のデータ、つまり進行方向が東向きの場合の受信品質データは「○」となっているため、弱階層と強階層の双方で受信が可能ということがわかる。しかし、東経１３５度３５分１０秒、北緯３４度４３分４５秒から東経１３５度３５分１５秒、北緯３４度４３分４５秒までの区間の右上のデータ、つまり進行方向が東向きの場合の受信品質データは「×」となっているため、強階層のみが受信可能ということがわかる。そして、東経１３５度３５分２０秒、北緯３４度４３分４５秒から東経１３５度３５分３０秒、北緯３４度４３分４５秒までの区間の右上のデータ、つまり進行方向が東向きの場合の受信品質データは「○」となっているため、弱階層と強階層の双方で受信が可能ということがわかる。
【００５６】
つまり、東経１３５度３５分０５秒、北緯３４度４３分４５秒から東経１３５度３５分３０秒、北緯３４度４３分４５秒までを東向きに移動する場合東経１３５度３５分０５秒、北緯３４度４３分４５から東経１３５度３５分１０秒、北緯３４度４３分４５までの間に弱階層を受信している場合は強階層に切り替えを行う必要があることがわかる。また弱階層にて強階層に比べて高品質の放送を行っている場合などは、映像や音声の品質を優先して東経１３５度３５分１５秒、北緯３４度４３分４５から東経１３５度３５分２０秒、北緯３４度４３分４５までの間に、強階層から弱階層に切り替える必要がある。
【００５７】
つまり、進行方向により、切り替えを行う最適な地点が異なる為、このように、進行方向に対する受信品質データをデータベース保持手段１１１に保持することにより、進行方向における受信品質の劣化を加味した、精度の高い受信階層の切り替えを実現できる。
【００５８】
なお、本実施の形態では４つの移動速度を例として示しているが、データベース保持手段１１１にはより詳細な進行方向を示した受信品質情報が保持されていればさらに高精度な階層の切り替えが実現可能である。
【００５９】
なお、本実施の形態では４つの移動速度を例として示しているが、データベース保持手段１１１に保持されている受信品質情報を基に、進行方向を補間演算することによりさらに高精度な階層の切り替えが実現可能である。
【００６０】
なお、本実施の形態ではデータベース保持手段１１１に保持されている受信品質情報は常に固定としているが、例えば実際に走行した地点のデータは実際に走行した際に得られる受信品質情報を基に書き換えることにより、さらに高精度の受信品質情報となる。また、対向を移動するデジタル放送受信装置や、同じ方向を移動するデジタル放送受信装置が、実際に走行した地点での受信品質情報を受信し、データベース保持手段１１１に保持されている受信品質情報内の該当地点での受信品質情報に書き換えることによりさらに高精度の受信品質情報となる。
【００６１】
なお、本実施の形態では一定距離内での切り替え回数を制限することにより切り替えポイントの削減をおこなっているが、速度情報を用いた一定時間内での切り替え回数を制限することによっても同様の効果が得られる。
【００６２】
なお、本実施の形態では一定距離または一定時間内での切り替え回数を制限することにより切り替えポイントの削減を行っているが、速度や受信状態などを基に距離や時間を可変しても同様の効果が得られる。
【００６３】
なお、本実施の形態では位置情報検出手段１０８からの位置情報信号及び進行方向検出手段１１２からの進行方向情報信号により、移動方向の予測をしているが、位置情報信号および進行方向情報信号からナビゲーションシステムなどの地図より走行中道路を割り出し、その道の経路を移動ルート情報として用いても同様の効果が得られる。
【００６４】
なお、本実施の形態では位置情報検出手段１０８からの位置情報信号及び進行方向情報信号検出手段１１２からの進行方向情報信号により、移動方向の予測をしているが、道路地図情報を併用したり、ナビゲーションシステムなどで現在地及び目的地を基に演算したルート情報を用いても同様の効果が得られる。
【００６５】
このように本発明によれば、移動中に発生する階層切り替え頻度をあらかじめ予測し、切替発生頻度を低減することにより映像信号及び音声信号の途切れを少なくするデジタル放送受信装置１００を提供することが可能となる。
【００６６】
本実施の形態では、第１のアンテナ１０１が放送波受信アンテナに相当し、選局復調手段１０２が選局復調手段に相当し、第１のデコード手段１０３が第１のデコード手段に相当し、第２のデコード手段１０４が第２のデコード手段に相当し、出力切替手段１０５が出力切替手段に相当し、第２のアンテナ１０７が基準位置情報受信アンテナに相当し、位置情報検出手段１０８が位置情報検出手段に相当し、進行方向検出手段１１２が進行方向検出手段に相当し、切替ポイント演算手段１０９が切替ポイント演算手段に相当し、データベース保持手段１１１がデータベース保持手段に相当する。
【００６７】
（実施の形態２）
図１２は、本実施の形態に係るデジタル放送受信装置２００の機能構成を示すブロック図である。
【００６８】
図１２に示すデジタル放送受信装置２００は、第１のアンテナ２０１、第１の選局復調手段２０２、第２のアンテナ２０３、第２の選局復調手段２０４、合成及び振り分け手段２０５、第１のトランスポートデコード手段２０６、第２のトランスポートデコード手段２０７、ＡＶデコード手段２０８、出力手段２０９、第３のアンテナ２１０、位置情報検出手段２１１、進行方向検出手段２１２、切替手段２１３、データベース保持手段２１４及びコントロール手段２１５を備える。
【００６９】
第１の選局復調手段２０２は、第１のアンテナ２０１からの信号を選局及び復調し合成及び振り分け手段２０５に出力する。
【００７０】
第１のアンテナ２０１及び第１の選局復調手段２０２は視聴用に使用することとする。
【００７１】
第２の選局復調手段２０４は、第２のアンテナ２０３からの信号を選局及び復調し合成及び振り分け手段２０５に出力する。
【００７２】
第２のアンテナ２０３及び第２の選局復調手段２０４は視聴用またはバックグラウンド処理用に使用することとする。
【００７３】
合成及び振り分け手段２０５は、第１の選局復調手段２０２からの信号及び第２の選局復調手段２０４からの信号を受け取り、合成または振り分け２系統の出力を第１のトランスポートデコード手段２０６及び第２のトランスポートデコード手段２０７に出力する。
【００７４】
第１のトランスポートデコード手段２０６は合成及び振り分け手段２０５より出力される信号をトランスポートデコードしＡＶデコード手段２０８に出力する。
【００７５】
第２のトランスポートデコード手段２０７は合成及び振り分け手段２０５より出力される信号をトランスポートデコードしコントロール手段２１５に出力する。第２のトランスポートデコード手段２０７はバックグラウンド処理用に使用される。
【００７６】
ＡＶデコード手段２０８は第１のトランスポートデコード手段２０６より出力される信号を映像信号及び音声信号にデコードし出力手段２０９に出力する。
【００７７】
出力手段２０９はＡＶデコード手段２０８より出力される映像信号及び音声信号を映像出力及び音声出力するための手段である。
【００７８】
第３のアンテナ２１０は受信したデジタル放送受信装置２００の位置情報を含む基準位置情報信号を位置情報検出手段２１１に出力する。
【００７９】
位置情報検出手段２１１は第３のアンテナ２１０より受信した信号を基にデジタル放送受信装置２００の位置情報信号を検出し進行方向検出手段２１２及び切替手段２１３に出力する。
【００８０】
進行方向検出手段２１２は位置情報信号を基にデジタル放送受信装置２００の移動する進行方向を検出し、切替手段２１３に出力する。
【００８１】
切替手段２１３は位置情報検出手段２１１からの位置情報信号と進行方向検出手段２１２からの進行方向信号とデータベース保持手段２１４からの受信品質情報を基に切り替えポイントを演算し合成及び振り分け手段２０５に制御要求を出す。
【００８２】
データベース保持手段２１４は位置情報に関連付けられた受信品質情報を保持する。以後このデータを受信品質マップと呼ぶ。
【００８３】
コントロール手段２１５はデジタル放送受信装置２００の各ブロックの制御及び状態の監視を行う。
【００８４】
まず、図１３を用いて合成及び振り分け手段２０５の動作を説明する。合成及び振り分け手段２０５は合成手段７００とスイッチ７０１を含む。また第１の入力端子７０２、第２の入力端子７０３、第１の出力端子７０４、第２の出力端子７０５、制御要求入力端子７０６を備える。
【００８５】
合成手段７００は第１の入力端子７０２に入力される信号と、第２の入力端子７０３に入力される信号とを合成する。本実施例での合成手段はＯＦＤＭ信号をキャリアごとに合成するキャリアダイバーシティーを行うこととする。
【００８６】
第１の入力端子７０２から入力される信号は、合成手段７００とスイッチ７０１に入力される。第２の入力端子７０３から入力される信号は、合成手段７００に入力される。また、第２の入力端子７０３から入力される信号は、第２の出力端子７０５に出力される。
【００８７】
合成手段７００からの合成後信号はスイッチ７０１に入力される。
【００８８】
スイッチ７０１は制御要求入力端子７０６から入力される制御要求により、第１の入力端子７０２から入力される信号または合成手段７００から出力される合成後信号のいずれかをスイッチ出力に出力する。スイッチ７０１の出力は第１の出力端子７０４に出力される。
【００８９】
第２の入力端子７０３から入力される信号は、合成手段７００に入力される。また、第２の入力端子７０３は第２の出力端子７０５に接続されている。
【００９０】
位置情報検出手段２１１の動作は実施の形態１での位置情報検出手段１０８と同様とする。
【００９１】
進行方向検出手段２１２の動作は実施の形態１での進行方向検出手段１１２と同様とする。
【００９２】
次に、本実施の形態の全体動作を説明する。本実施の形態のデジタル放送受装置２００は２つの選局復調手段を持つ。これらの選局復調手段は、同一チャンネルを選局することも可能であるし、異なるチャンネルを選局することも可能である。また、本実施の形態のデジタル放送受装置２００は、異なるチャンネルを選局可能な２つの選局復調手段を持つことによりバックグラウンド処理を行うことができる。例えば、放送を視聴中に、異なるチャンネルの番組表を取得したり、受信可能な放送局が存在しないかチャンネルスキャンを行ったり、放送ダウンロードを受信したりすることが可能である。
【００９３】
また、本実施の形態のデジタル放送受装置２００は合成及び振り分け手段２０５を備え、その合成及び振り分け手段２０５は２系統の入力を持つ合成ブロックを備える。本実施の形態では、ＯＦＤＭのキャリアダイバーシティー合成を例に説明するが、キャリアダイバーシティー合成とは、ＯＦＤＭの各キャリアの信号を個別に合成することにより１本のアンテナ及び１個の選局復調手段を持つデジタル放送受信装置と比較して、理論上では３ｄＢの受信性能改善が得られる技術である。つまり、１本のアンテナ及び１個の選局復調手段を用いて受信が困難な地域でも、２本のアンテナ及び２個の選局復調手段を用いれば受信エラーが発生しない状態で視聴できることがある。以下、２本のアンテナ及び２個の選局復調手段を使う場合を説明する場合は、合成及び振り分け手段２０５の合成手段７００を用いている為、１本のアンテナ及び１個の選局復調手段を使う場合に比べ安定した受信が可能であるとする。
【００９４】
次に、図１４を用いてデータベース保持手段２１４に保持されている受信品質情報の抜粋例を示す。本データは経度及び緯度情報を用いてグリッド状に各地点での受信品質をサンプリングしたものであり、「○」の部分は１本のアンテナ及び１個の選局復調手段のみで受信エラー無く受信可能な地区を示し、「×」の部分は２本のアンテナ及び２個の選局復調手段を使用しなければ受信が難しい地区を示す。例えば東経１３５度３５分３０秒、北緯３４度４３分３０秒の位置から東経１３５度３５分０５秒、北緯３４度４３分３０秒まで移動する場合、東経１３５度３５分３０秒、北緯３４度４３分３０秒から東経１３５度３５分２５秒、北緯３４度４３分３０秒までの区間は１本のアンテナ及び１個の選局復調手段のみで受信可能なことを示す。しかし東経１３５度３５分２０秒、北緯３４度４３分３０秒から東経１３５度３５分１５秒、北緯３４度４３分３０秒までの区間は２本のアンテナ及び２個の選局復調手段を使用しなければ受信エラーが発生しない状態で受信ができない。また、東経１３５度３５分１０秒、北緯３４度４３分３０秒から東経１３５度３５分０５秒、北緯３４度４３分３０秒までの１本のアンテナ及び１個の選局復調手段のみで受信可能なことを示す。以下、このように位置情報に関連付けられた受信品質情報を受信品質マップと呼ぶ。
【００９５】
次に図１５を用いてさらに広い範囲でのデータベース保持手段２１４に保持されている受信品質情報の例を示す。本図にて斜線が引かれている地区は、図１４での「×」のデータに該当し、２本のアンテナ及び２個の選局復調手段を使用しなければ受信が難しい地区を示す。本図にて斜線が引かれていない地区は図１４での「○」のデータに該当し１本のアンテナ及び１個の選局復調手段のみで受信エラー無く受信可能な地区を示す。ここでは地点Ａから地点Ｂまで移動する場合を例とする。また、地点Ａではバックグラウンド処理により１本のアンテナ及び１個の選局復調手段を使用している為、視聴用には１本のアンテナ及び１個の選局復調手段しか使用できない状態であるとする。
【００９６】
なお、本実施の形態では１本のアンテナ及び１個の選局復調手段で受信エラーが発生せずに受信ができる、エラーが発生する２値の受信品質情報を保持しているとするが、ＣＮ情報や、受信エラー情報、ビットエラーレートなどでも同様の効果が得られる。例えば、ＣＮ情報を受信品質情報として保持しておき、ＣＮ情報が特定の値以下である場合には１本のアンテナ及び１個の選局復調手段では受信できないなどと判断可能である。また、信号品質情報を基に、何セットのアンテナ及び選局復調手段を使用すれば受信エラーが発生せずに受信できるかという受信品質情報を保持することや、ＣＮ情報などから何セットのアンテナ及び選局復調手段を使用すれば受信エラーが発生せずに受信できるかを演算することによっても同様の効果が得られる。なお、デジタル放送受信装置２００を搭載する車の形状やアンテナの設置位置などによっても受信状態は変化する為、データベース保持手段２１４に保持されている受信品質情報は基準受信品質情報として使用し、車の形状やアンテナの設置位置によりそのデータを変換または補正して使用すると、さらに高精度の受信品質情報となる。また、データベース保持手段２１４に保持されている受信品質情報と実際にデジタル放送受信装置２００が受信したＣＮ情報や、受信エラー情報、ビットエラーレートなどと照らし合わせ、受信品質情報を変換または補正して使用すると、さらに高精度の受信品質情報となる。また、移動スピードによっても受信状態は変化する為、移動スピードを基に受信品質情報を変換または補正して使用すると、さらに高精度の受信品質情報となる。
【００９７】
次に、図１５を用いて従来のデジタル放送受信装置２００にて地点Ａから地点Ｂまで移動する場合の例を説明する。まず１本のアンテナ及び１個の選局復調手段を使用して受信している状態で地点Ａから出発し、地点Ｃまで移動した段階で受信エラーを検知しバックグラウンド処理を停止し２本のアンテナ及び２個の選局復調手段を使用するように切り替える。そして、地点Ｄにて１本のアンテナ及び１個の選局復調手段で受信エラーが発生せずに視聴ができることを検知すると、１本のアンテナ及び１個の選局復調手段をバックグラウンド処理用に割り当て、１本のアンテナ及び１個の選局復調手段を視聴用に使用する。そして、地点Ｅまで移動した段階で受信エラーを検知しバックグラウンド処理を停止し２本のアンテナ及び２個の選局復調手段を使用するように切り替える。そして、地点Ｆにて１本のアンテナ及び１個の選局復調手段で受信エラーが発生せずに視聴ができることを検知すると、１本のアンテナ及び１個の選局復調手段をバックグラウンド処理用に割り当て、１本のアンテナ及び１個の選局復調手段を視聴用に使用し、地点Ｂに到着する。このように、受信エラーを検知してから切り替わる従来の方式では、視聴中に映像の乱れや音声の途切れが発生してしまうため好ましくない。
【００９８】
２本のアンテナ及び２個の選局復調手段を使用している状態で、１個の選局復調手段で受信エラーが発生せずに視聴ができることを検知する方法は、例えばコントロール手段２１５が選局復調手段での受信レベルを監視し、１個の選局復調手段で受信エラーが発生せずに視聴ができるレベルになった場合に、切替手段２１３にその情報を伝達することにより可能となる。
【００９９】
次に図１６を用いて、本実施の形態のように受信品質マップを持つデジタル放送受信装置２００の場合を説明する。受信品質マップを持つデジタル放送受信装置２００の場合、１本のアンテナ及び１個の選局復調手段で受信が困難な地域にデジタル放送受信装置２００が移動する前にバックグラウンド処理を停止し２本のアンテナ及び２個の選局復調手段に切り替えることによって映像の乱れや音声の途切れの発生しないデジタル放送受信装置２００を実現することが可能となる。例えば図１６での地点Ａから地点Ｂに移動する場合を例とする。まず、バックグラウンド処理を行いながら１本のアンテナ及び１個の選局復調手段を視聴用に使用し受信している状態で地点Ａから移動を始め地点Ｇにて切替手段２１３は移動ルート上に１本のアンテナ及び１個の選局復調手段では受信エラーなく視聴することが難しいと検知しバックグラウンド処理を停止し２本のアンテナ及び２個の選局復調手段を視聴用に使用する。そして地点Ｄにて１本のアンテナ及び１個の選局復調手段で受信エラーが発生せずに視聴ができることを切替手段２１３が検知するとバックグラウンド処理用に１本のアンテナ及び１個の選局復調手段を使用し、１本のアンテナ及び１個の選局復調手段を視聴用に使用し、バックグラウンド処理を開始するように切り替える。そして、地点Ｈにて移動ルート上に１本のアンテナ及び１個の選局復調手段では受信エラーなく視聴することが難しいと切替手段２１３が検知しバックグラウンド処理を停止し２本のアンテナ及び２個の選局復調手段を視聴用に使用する。そして地点Ｆにて１本のアンテナ及び１個の選局復調手段で受信エラーが発生せずに視聴ができることを切替手段２１３が検知するとバックグラウンド処理用に１本のアンテナ及び１個の選局復調手段を使用し、１本のアンテナ及び１個の選局復調手段を視聴用に使用し、バックグラウンド処理を開始するように切り替える。
【０１００】
例えば、切替手段２１３は移動ルート上に１本のアンテナ及び１個の選局復調手段では受信エラーなく視聴することが難しい地区があるとデータベース保持手段２１４に格納されている受信品質情報より検知すると、１本のアンテナ及び１個の選局復調手段では受信エラーなく視聴することが難しい地点に到達する前にバックグラウンド処理を停止し２本のアンテナ及び２本の選局復調手段をしようするように切り替える。例えば、切り替える地点を距離での１ｋｍとあらかじめ定められているとする。切替手段２１３は移動ルート上で１本のアンテナ及び１個の選局復調手段では受信エラーなく視聴することが難しい地点から移動ルート上で１ｋｍ遡った地点を切り替えポイントとする。なお、本実施の形態では１ｋｍという距離で切り替えポイントを規定しているが、時間情報でも同様の効果が得られる。なお、時間情報の場合は、デジタル放送受信装置２００の移動スピード基に演算を行う必要がある。
【０１０１】
次に図１７を用いて、切替手段２１３が受信階層を切り替える地点である階層切り替えポイントを演算する例を示す。例えば、図１７にて地点Ａから地点Ｂに移動する場合、地点Ａにて弱階層を受信している場合には弱階層が受信できなくなる地点Ｄに到達する前に強階層に切り替えなければ、地点Ｄを通過した後は受信エラーが発生してしまう。そこで、地点Ｄに到達する前に受信階層を弱階層から強階層に切り替える必要がある。例えば、地点Ｄである弱階層の受信可能な限界地点に到達する時間ｃｔ秒前に切り替えを行うとした場合、地点Ａから地点Ｄに到達するまでの間、地点Ｄに到達するまでの時間を演算する。例えば、地点Ａから地点Ｄの間の地点Ｅが現在地点であるとした場合、地点Ｅから地点Ｄまでの距離である距離ｅｄは位置情報検出手段より得られる位置情報信号と、データベース保持手段２１４に格納されている受信品質情報に対応した位置情報との差分より求めることが可能である。そして、地点Ｅでの速度である速度ｅｖは位置情報検出手段からの時間的な位置情報などから演算することが可能である。そして、それらの情報を用いて、地点Ｅから地点Ｄに到達するまでの時間である時間ｅｔを演算する。具体的には、時間ｅｔは距離ｅｄを速度ｅｖにて除算した結果である。そして、地点Ａから地点Ｄに到達するまで地点Ｄに到達するまでの時間を連続的または断続的に演算し、演算結果の地点Ｄに到達するまでの時間が時間ｃｔと一致または時間ｃｔより短くなると切替手段２１３は合成及び振り分け手段２０５に制御要求を出す。図１７の場合、その切り替えポイントは地点Ｃである。また、強階層から弱階層に切り替える場合も同様の演算方法で切替手段２１３は切り替えポイントを演算する。
【０１０２】
なお、本実施の形態では、デジタル放送受信装置２００の受信点が静止または移動していることを前提としており、受信性能は移動速度により変化することがわかっている。そこで、デジタル受信装置の移動速度の情報を用いて受信する階層を切り替えることにより、さらに高精度に受信階層の切替を行うことが可能となる。例えば、図１８はデータベース保持手段２１４に保持されている受信品質情報の内、一地点での抜粋である。本データはデジタル放送受信装置２００の移動速度に対する受信品質を示すものであり、「○」の部分は弱階層と強階層の双方が受信可能な移動速度を示し、「×」の部分は強階層のみ受信可能な移動速度を示す。例えば、図１８の「４０ｋｍ／ｈ」と「６０ｋｍ／ｈ」の欄では「○」のデータが保持されている為、時速６０ｋｍ／ｈまでの速度でデジタル放送受信装置２００が移動している状態では、弱階層と強階層の双方で受信が可能ということを示す。一方「８０ｋｍ／ｈ」と「１００ｋｍ／ｈ」の欄では「×」のデータが保持されている為、時速８０ｋｍ／ｈ以上の速度でデジタル放送受信装置２００が移動している状態では、強階層のみが受信可能ということを示し、弱階層での受信は不可能であるため、弱階層を受信している場合は強階層に切り替えを行う必要があることを示す。
【０１０３】
なお、移動速度は常に変化する速度を用いるのではなく、一定距離内での移動体の平均速度を用いることで、受信品質情報の補正演算回数を軽減することができる。
【０１０４】
なお、移動速度は常に変化する速度を用いるのではなく、一定時間内での移動体の平均速度を用いることで、受信品質情報の補正演算回数を軽減することができる。
【０１０５】
次に図１９を用いて、複数地点でのデータベース保持手段２１４に保持されている受信品質情報の一例を示す。本データは、経度及び緯度情報に対する各地点での受信品質を、デジタル放送受信装置２００の移動速度ごとに示しており、「○」の部分は弱階層と強階層の双方が受信可能な地区を示し、「×」の部分は強階層のみ受信可能な地区を示す。本データでは、各地点あたり４つの受信品質を示しており、デジタル放送受信装置２００の移動速度に対する各地点での受信品質を示す。各地点での４つの受信品質情報のうち左上の「○」または「×」は時速４０ｋｍで移動している場合の受信品質を、右上の「○」または「×」は時速６０ｋｍで移動している場合の受信品質を、左下の「○」または「×」は時速８０ｋｍで移動している場合の受信品質を、右下の「○」または「×」は時速１００ｋｍで移動している場合の受信品質を、それぞれ示している。
【０１０６】
例えば、東経１３５度３５分２０秒、北緯３４度４３分３５秒でのデータを用いて説明すると、左上のデータ「４０ｋｍ／ｈ」と右上のデータ「６０ｋｍ／ｈ」は「○」のデータが保持されている為、時速６０ｋｍ／ｈまでの速度でデジタル放送受信装置２００が移動している状態では、弱階層と強階層の双方で受信が可能ということを示す。一方左下のデータ「８０ｋｍ／ｈ」と右下のデータ「１００ｋｍ／ｈ」は「×」のデータが保持されている為、時速８０ｋｍ／ｈ以上の速度でデジタル放送受信装置２００が移動している状態では、強階層のみが受信可能ということを示し、弱階層での受信は不可能であるため、弱階層を受信している場合は強階層に切り替えを行う必要があることを示す。
【０１０７】
また、例えば東経１３５度３５分３０秒、北緯３４度４３分４５秒から東経１３５度３５分０５秒、北緯３４度４３分４５秒まで移動する場合において、時速６０ｋｍ／ｈにて移動する場合には、東経１３５度３５分３０秒、北緯３４度４３分４５秒から東経１３５度３５分２０秒、北緯３４度４３分４５秒までの区間の右上のデータ、つまり時速６０ｋｍ／ｈの受信品質データは「○」となっているため、弱階層と強階層の双方で受信が可能ということがわかる。しかし、東経１３５度３５分１５秒、北緯３４度４３分４５秒から東経１３５度３５分１０秒、北緯３４度４３分４５秒までの区間の右上のデータ、つまり時速６０ｋｍ／ｈの受信品質データは「×」となっているため、強階層のみが受信可能ということがわかる。また、東経１３５度３５分０５秒、北緯３４度４３分４５秒での右上のデータ、つまり時速６０ｋｍ／ｈの受信品質データは「○」となっているため、弱階層と強階層の双方で受信が可能ということがわかる。つまり、時速６０ｋｍ／ｈにて東経１３５度３５分３０秒、北緯３４度４３分４５秒から東経１３５度３５分０５秒、北緯３４度４３分４５秒まで移動する場合は東経１３５度３５分２０秒、北緯３４度４３分４５から東経１３５度３５分１５秒、北緯３４度４３分４５までの間に弱階層を受信している場合は強階層に切り替えを行う必要があることがわかる。また、弱階層にて強階層に比べて高品質の放送を行っている場合などは、映像や音声の品質を優先して東経１３５度３５分１０秒、北緯３４度４３分４５から東経１３５度３５分０５秒、北緯３４度４３分４５までの間に強階層から弱階層に切り替える必要がある。
【０１０８】
しかし、同一区間である東経１３５度３５分３０秒、北緯３４度４３分４５秒から東経１３５度３５分０５秒、北緯３４度４３分４５秒を、時速８０ｋｍ／ｈにて移動する場合には、時速６０ｋｍ／ｈにて移動している場合と異なり、東経１３５度３５分３０秒、北緯３４度４３分４５秒から東経１３５度３５分２５秒、北緯３４度４３分４５秒までの区間の左下のデータ、つまり時速８０ｋｍ／ｈの受信品質データは「○」となっているため、弱階層と強階層の双方で受信が可能ということがわかる。しかし、東経１３５度３５分２０秒、北緯３４度４３分４５秒から東経１３５度３５分０５秒、北緯３４度４３分４５秒までの区間の左下のデータ、つまり時速８０ｋｍ／ｈの受信品質データは「×」となっているため、強階層のみが受信可能ということがわかる。つまり、時速８０ｋｍ／ｈにて東経１３５度３５分３０秒、北緯３４度４３分４５秒から東経１３５度３５分０５秒、北緯３４度４３分４５秒まで移動する場合は東経１３５度３５分２５秒、北緯３４度４３分４５から東経１３５度３５分２０秒、北緯３４度４３分４５までの間に弱階層を受信している場合は強階層に切り替えを行う必要があることがわかる。また、東経１３５度３５分２０秒、北緯３４度４３分４５から東経１３５度３５分０５秒、北緯３４度４３分４５に到着するまで強階層は受信できないことがわかる。
【０１０９】
つまり、進行方向により、切り替えを行う最適な地点が異なる為、このように、移動速度に対する受信品質データをデータベース保持手段２１４に保持することにより、移動速度における受信品質の劣化を加味した、精度の高い受信階層の切り替えを実現できる。
【０１１０】
なお、本実施の形態では４つの移動速度を例として示しているが、データベース保持手段２１４にはより詳細な移動速度に対する受信品質情報が保持されていればさらに高精度な階層の切り替えが実現可能である。
【０１１１】
なお、本実施の形態では４つの移動速度を例として示しているが、データベース保持手段２１４に保持されている受信品質情報を基に、速度情報を補間演算することによりさらに高精度な階層の切り替えが実現可能である。
【０１１２】
なお、受信品質はデジタル放送受信装置２００のアンテナがどちらに向いているかにも影響される為、アンテナの向き、つまり進行方向によって受信品質情報を変換または補正して使用すると、さらに高精度の受信品質情報となる。
【０１１３】
例えば、図２０に一般的なデジタル放送受信装置のアンテナのアンテナパターンの例を示す。本図はアンテナの受信特性をあらわすものであり、斜線が引かれている範囲がアンテナの受信感度領域であり、０°をデジタル放送受信装置の移動方向とする。このようにアンテナパターンは円形ではないとする。このようなアンテナの場合、移動体の進行方向に対してデジタル放送を受信する際、前方０°方向からの電波が到来する場合の受信に対しては受信感度が良い。しかしそれ以外の方向からの電波の到来に対しては受信感度が悪く、特に横方向や後方から電波が到来する場合の受信感度が悪い。つまり、デジタル放送受信装置の進行方向により、受信感度が変わる。また、アンテナの設置位置によっては、アンテナパターンがデジタル受信装置を搭載した移動体本体の陰になることも十分考えられる。例えば、図２１は移動体本体に設置した際の、アンテナパターンである。図２０のアンテナパターンと比べ図における左半分の感度が著しく低下していることがわかる。このような場合、さらに受信感度が電波の到来する方向により変化してしまう。
【０１１４】
そこで、各地点での進行方向に対する受信品質情報をデータベース保持手段２１４に保持することにより、さらに高精度の階層切り替えが実現できる。図２２を用いて、複数地点でのデータベース保持手段２１４に保持されている受信品質情報の一例を示す。本データは、経度及び緯度情報に対する各地点での受信品質を、デジタル放送受信装置２００の進行方向ごとに示しており、「○」の部分は弱階層と強階層の双方が受信可能な地区を示し、「×」の部分は強階層のみ受信可能な地区を示す。本データでは、各地点あたり４つの受信品質を示しており、デジタル放送受信装置２００の進行速度に対する各地点での受信品質を示す。各地点での４つの受信品質情報のうち左上の「○」または「×」はデジタル放送受信装置２００が北向きに移動している場合の受信品質を、右上の「○」または「×」はデジタル放送受信装置２００が東向きに移動している場合の受信品質を、左下の「○」または「×」はデジタル放送受信装置２００が南向きに移動している場合の受信品質を、右下の「○」または「×」はデジタル放送受信装置２００が西向きに移動している場合の受信品質を、それぞれ示している。
【０１１５】
例えば、東経１３５度３５分２０秒、北緯３４度４３分３５秒でのデータを用いて説明すると、左上の進行方向が北向きの場合のデータと右上の進行方向が東向きのデータには「○」のが保持されている為、東経１３５度３５分２０秒、北緯３４度４３分３５秒にてデジタル放送受信装置２００が進行方向北向きまたは東向きに移動している場合は、弱階層と強階層の双方で受信が可能ということを示す。一方左下の進行方向が南向きの場合のデータと右下の進行方向西向きの場合のデータは「×」のデータが保持されている為、東経１３５度３５分２０秒、北緯３４度４３分３５秒にてデジタル放送受信装置２００が進行方向南向きまたは西向きに移動している場合は、強階層のみが受信可能ということを示し、弱階層での受信は不可能であるため、弱階層を受信している場合は強階層に切り替えを行う必要があることを示す。
【０１１６】
また、例えば東経１３５度３５分３０秒、北緯３４度４３分４５秒から東経１３５度３５分０５秒、北緯３４度４３分４５秒まで移動する場合において、進行方向は西向きとなり、東経１３５度３５分３０秒、北緯３４度４３分４５秒から東経１３５度３５分２５秒、北緯３４度４３分４５秒までの区間の右下のデータ、つまり進行方向が西向きの場合の受信品質データは「○」となっているため、弱階層と強階層の双方で受信が可能ということがわかる。しかし、東経１３５度３５分２０秒、北緯３４度４３分４５秒から東経１３５度３５分０５秒、北緯３４度４３分４５秒に到達するまでの区間の右下のデータ、つまり進行方向が西向きの場合の受信品質データは「×」となっているため、強階層のみが受信可能ということがわかる。
【０１１７】
つまり、東経１３５度３５分３０秒、北緯３４度４３分４５秒から東経１３５度３５分０５秒、北緯３４度４３分４５秒までを西向きに移動する場合東経１３５度３５分２５秒、北緯３４度４３分４５から東経１３５度３５分２０秒、北緯３４度４３分４５までの間に弱階層を受信している場合は強階層に切り替えを行う必要があることがわかる。
【０１１８】
しかし、同一区間を逆方向に走行する場合、つまり東経１３５度３５分０５秒、北緯３４度４３分４５秒から東経１３５度３５分３０秒、北緯３４度４３分４５秒までを、東向きに移動する場合には、同一区間を西向きに移動している場合と異なり、東経１３５度３５分０５秒、北緯３４度４３分４５秒での右上のデータ、つまり進行方向が東向きの場合の受信品質データは「○」となっているため、弱階層と強階層の双方で受信が可能ということがわかる。しかし、東経１３５度３５分１０秒、北緯３４度４３分４５秒から東経１３５度３５分１５秒、北緯３４度４３分４５秒までの区間の右上のデータ、つまり進行方向が東向きの場合の受信品質データは「×」となっているため、強階層のみが受信可能ということがわかる。そして、東経１３５度３５分２０秒、北緯３４度４３分４５秒から東経１３５度３５分３０秒、北緯３４度４３分４５秒までの区間の右上のデータ、つまり進行方向が東向きの場合の受信品質データは「○」となっているため、弱階層と強階層の双方で受信が可能ということがわかる。
【０１１９】
つまり、東経１３５度３５分０５秒、北緯３４度４３分４５秒から東経１３５度３５分３０秒、北緯３４度４３分４５秒までを東向きに移動する場合東経１３５度３５分０５秒、北緯３４度４３分４５から東経１３５度３５分１０秒、北緯３４度４３分４５までの間に弱階層を受信している場合は強階層に切り替えを行う必要があることがわかる。また弱階層にて強階層に比べて高品質の放送を行っている場合などは、映像や音声の品質を優先して東経１３５度３５分１５秒、北緯３４度４３分４５から東経１３５度３５分２０秒、北緯３４度４３分４５までの間に、強階層から弱階層に切り替える必要がある。
【０１２０】
つまり、進行方向により、切り替えを行う最適な地点が異なる為、このように、進行方向に対する受信品質データをデータベース保持手段２１４に保持することにより、進行方向における受信品質の劣化を加味した、精度の高い受信階層の切り替えを実現できる。
【０１２１】
なお、本実施の形態では４つの移動速度を例として示しているが、データベース保持手段２１４にはより詳細な進行方向を示した受信品質情報が保持されていればさらに高精度な階層の切り替えが実現可能である。
【０１２２】
なお、本実施の形態では４つの移動速度を例として示しているが、データベース保持手段２１４に保持されている受信品質情報を基に、進行方向を補間演算することによりさらに高精度な階層の切り替えが実現可能である。
【０１２３】
なお、本実施の形態ではデータベース保持手段２１４に保持されている受信品質情報は常に固定としているが、例えば実際に走行した地点のデータは実際に走行した際に得られる受信品質情報を基に書き換えることにより、さらに高精度の受信品質情報となる。また、対向を移動するデジタル放送受信装置や、同じ方向を移動するデジタル放送受信装置が実際に走行した地点での受信品質情報を受信し、データベース保持手段２１４に保持されている受信品質情報内の該当地点での受信品質情報に書き換えることによりさらに高精度の受信品質情報となる。
【０１２４】
なお、本実施の形態では位置情報検出手段２１１からの位置情報信号及び進行方向検出手段２１２からの進行方向情報信号により、移動方向の予測をしているが、位置情報信号および進行方向情報信号からナビゲーションシステムなどの地図より走行中道路を割り出し、その道の経路を移動ルート情報として用いても同様の効果が得られる。
【０１２５】
なお、本実施の形態では位置情報検出手段２１１からの位置情報信号及び進行方向検出手段２１２からの進行方向情報信号により、移動方向の予測をしているが、道路地図情報を併用したり、ナビゲーションシステムなどのルート情報を用いても同様の効果が得られる。
【０１２６】
このように従来のデジタル放送受信装置ではバックグラウンド処理中は受信品質が犠牲になっていたが、第２の発明によれば、デジタル放送受信装置が必要なバックグラウンド処理を、視聴しているチャンネルの受信品質を落さずに行うことができるデジタル放送受信装置２００を提供することが可能となる。
【０１２７】
本発明実施の形態では、第１のアンテナ２０１が放送波受信アンテナに相当し、第１の選局復調手段２０２が選局復調手段に相当し、第２のアンテナ２０３が放送波受信アンテナに相当し、第２の選局復調手段２０４が選局復調手段に相当し、合成及び振り分け手段２０５が合成及び振り分け手段に相当し、第１のトランスポートデコード手段２０６が第１のトランスポートデコード手段に相当し、第２のトランスポートデコード手段２０７が第２のトランスポートデコード手段に相当し、ＡＶデコード手段２０８がＡＶデコード手段に相当し、第３のアンテナ２１０が基準位置情報受信アンテナに相当し、位置情報検出手段２１１が位置情報検出手段に相当し、進行方向検出手段２１２が進行方向検出手段に相当し、切替手段２１３が切替手段に相当し、データベース保持手段２１４がデータベース保持手段に相当する。
【産業上の利用可能性】
【０１２８】
本発明にかかるデジタル放送受信装置は、車両や鉄道を含む、デジタル放送が受信できるエリアを走行する移動体に利用することが可能である。
【図面の簡単な説明】
【０１２９】
【図１】本発明の実施の形態１によるデジタル放送受信装置の構成を示すブロック図
【図２】図１に示すデータベース保存手段に保持されている受信品質情報の一例を示すデータ構成図
【図３】図１に示すデータベース保存手段に保持されている受信品質情報の一例を示すデータ構成図
【図４】図１に示すデータベース保存手段に保持されている受信品質情報の一例を示すデータ構成図
【図５】図１に示すデータベース保存手段に保持されている受信品質情報の一例を示すデータ摸式図
【図６】図１に示すデータベース保存手段に保持されている受信品質情報の一例を示すデータ模式図
【図７】図１に示すデータベース保存手段に保持されている受信品質情報の一例を示すデータ構成図
【図８】図１に示すデータベース保存手段に保持されている受信品質情報の一例を示すデータ構成図
【図９】アンテナの受信特性の一例を示す構成図
【図１０】アンテナの受信特性の一例を示す構成図
【図１１】図１に示すデータベース保存手段に保持されている受信品質情報の一例を示すデータ構成図
【図１２】本発明の実施の形態２によるデジタル放送受信装置の構成を示すブロック図
【図１３】図１２に示す合成及び振り分け手段の構成を示すブロック図
【図１４】図１２に示すデータベース保存手段に保持されている受信品質情報の一例を示すデータ構成図
【図１５】図１２に示すデータベース保存手段に保持されている受信品質情報の一例を示すデータ構成図
【図１６】図１２に示すデータベース保存手段に保持されている受信品質情報の一例を示すデータ構成図
【図１７】図１２に示すデータベース保存手段に保持されている受信品質情報の一例を示すデータ摸式図
【図１８】図１２に示すデータベース保存手段に保持されている受信品質情報の一例を示すデータ構成図
【図１９】図１２に示すデータベース保存手段に保持されている受信品質情報の一例を示すデータ構成図
【図２０】アンテナの受信特性の一例を示す構成図
【図２１】アンテナの受信特性の一例を示す構成図
【図２２】図１２に示すデータベース保存手段に保持されている受信品質情報の一例示すデータ構成図
【図２３】従来のデジタル放送受信装置の構成を示すブロック図
【符号の説明】
【０１３０】
１００    デジタル放送受信装置
１０１    放送用受信アンテナ
１０２    選局復調手段
１０３    第１のデコード手段
１０４    第２のデコード手段
１０５    出力切替手段
１０６    出力手段
１０７    基準位置情報受信アンテナ
１０８    位置情報検出手段
１０９    切替ポイント演算手段
１１０    コントロール手段
１１１    データベース保持手段
１１２    進行方向検出手段
２００    デジタル放送受信装置
２０１    放送用受信アンテナ
２０２    選局復調手段
２０３    放送用受信アンテナ
２０４    選局復調手段
２０５    合成及び振り分け手段
２０６    第１のトランスポートデコード手段
２０７    第２のトランスポートデコード手段
２０８    ＡＶデコード手段
２０９    出力手段
２１０    基準位置情報受信アンテナ
２１１    位置情報検出手段
２１２    進行方向検出手段
２１３    切替手段
２１４    データベース保持手段
２１５    コントロール手段
７００    合成手段
７０１    スイッチ
７０２    第１の入力端子
７０３    第２の入力端子
７０３    第３の入力端子
７０４    第１の出力端子
７０５    第２の出力端子
７０６    制御要求入力端子
１１００    デジタル放送受信装置
１１０１    アンテナ
１１０２    チューナー
１１０３    復調器
１１０４    ＴＳ処理装置
１１０５    デコーダ
１１０６    選択装置
１１０７    出力装置
１１０８    設定装置
１１０９    Ｉ／Ｏ装置
１１１０    ＲＯＭ
１１１１    ＲＡＭ
１１１２    記録装置
１１１３    ＣＰＵ
１１６１    バス
【図１】
0004525634.tif 000002
【図２】
0004525634.tif 000003
【図３】
0004525634.tif 000004
【図４】
0004525634.tif 000005
【図５】
0004525634.tif 000006
【図６】
0004525634.tif 000007
【図７】
0004525634.tif 000008
【図８】
0004525634.tif 000009
【図９】
0004525634.tif 000010
【図１０】
0004525634.tif 000011
【図１１】
0004525634.tif 000012
【図１２】
0004525634.tif 000013
【図１３】
0004525634.tif 000014
【図１４】
0004525634.tif 000015
【図１５】
0004525634.tif 000016
【図１６】
0004525634.tif 000017
【図１７】
0004525634.tif 000018
【図１８】
0004525634.tif 000019
【図１９】
0004525634.tif 000020
【図２０】
0004525634.tif 000021
【図２１】
0004525634.tif 000022
【図２２】
0004525634.tif 000023
【図２３】
0004525634.tif 000024